(57)【特許請求の範囲】
【請求項１】
被写体の画像を撮像する撮像手段と、
前記画像の出力先の画像出力装置として複数の候補を挙げ、該複数の候補の中から前記画像の出力先の画像出力装置を１つ以上設定可能な出力先設定手段と、
前記出力先設定手段により設定された出力先の画像出力装置側における画像出力特性を記録媒体又は他の通信機器から取得する取得手段と、
前記撮像された画像に対して前記出力先の画像出力装置の画像出力特性に基づいた画像処理を実施して、前記出力先に設定された各画像出力装置に対応した新たな特性を有する画像を、前記出力先に設定された画像出力装置の数だけ生成する画像処理手段と、
前記生成した画像を記録媒体又は他の通信機器に記録する記録手段と、
前記複数の候補の中から前記画像の出力先の画像出力装置の第１候補を設定する第１候補設定手段とを備え、
前記画像処理手段が、前記第１候補の画像出力装置の画像出力特性に基づいた画像処理に関するアナログ特性と、前記第１候補の画像出力装置の画像出力特性に基づいた画像処理に関する第１のデジタル特性と、前記第１候補以外の画像出力装置の画像出力特性に基づいた画像処理に関する第２のデジタル特性とを算出し、前記アナログ特性、前記第１のデジタル特性及び前記第２のデジタル特性に基づいて画像処理の準備を、前記撮像手段による画像の撮像前に実施し、前記撮像手段による画像の撮像時に、前記第１候補の画像出力装置の画像出力特性に基づいた画像処理を実施する場合に、前記アナログ特性及び前記第１のデジタル特性に基づいて画像処理を実施し、前記出力先に設定された画像出力装置のうち前記第１候補の画像出力装置以外の画像出力装置の画像出力特性に基づいた画像処理を実施する場合に、前記アナログ特性、及び、各画像処理装置に対応した前記第２のデジタル特性に基づいて画像処理を実施することを特徴とする電子カメラ。
【請求項２】
前記画像処理手段により算出されたアナログ特性に基づいて画像処理を実施するアナログゲインアンプを更に備えることを特徴とする請求項１記載の電子カメラ。
【請求項３】
前記画像出力特性は、画像の階調の画像出力特性であることを特徴とする請求項１又は２記載の電子カメラ。
【請求項４】
前記画像出力特性は、画像の画素数であることを特徴とする請求項１から３のいずれか１項記載の電子カメラ。
【請求項５】
前記画像出力特性は、画像のシャープネス情報であることを特徴とする請求項１から４のいずれか１項記載の電子カメラ。
【請求項６】
前記画像出力特性は、画像の色相情報であることを特徴とする請求項１から５のいずれか１項記載の電子カメラ。
【請求項７】
前記画像出力特性は、画像の彩度情報であることを特徴とする請求項１から６のいずれか１項記載の電子カメラ。
【請求項８】
前記画像出力特性は、画像のホワイトバランス情報であることを特徴とする請求項１から７のいずれか１項記載の電子カメラ。
【請求項９】
前記画像出力特性は、色再現性の画像出力特性情報であることを特徴とする請求項１から８のいずれか１項記載の電子カメラ。
【請求項１０】
前記画像出力特性は、ＭＴＦ変換情報であることを特徴とする請求項１から９のいずれか１項記載の電子カメラ。
【請求項１１】
前記画像出力特性は、画像のノイズ低減量情報であることを特徴とする請求項１から１０のいずれか１項記載の電子カメラ。
【請求項１２】
前記取得手段は、前記画像出力装置側における階調の画像出力特性に対応して前記電子カメラ側で行う画像処理に係る階調の画像出力特性を取得することを特徴とする請求項１から１１のいずれか１項記載の電子カメラ。
【請求項１３】
前記取得手段は、前記画像出力装置側における階調の画像出力特性の逆変換の特性を取得し、
前記画像処理手段は、前記逆変換の特性を用いて画像の変換処理を実施することを特徴とする請求項１２記載の電子カメラ。
【請求項１４】
前記画像処理手段は、前記画像出力装置側における色再現性の画像出力特性とは逆の特性の画像処理を実施することを特徴とする請求項１から１３のいずれか１項記載の電子カメラ。
【請求項１５】
前記記録する画像は画像ファイルの形式をとっており、当該画像ファイルのファイル名として、画像処理に用いた画像出力特性を有する画像出力装置を識別する、画像出力装置識別情報を付すファイル名生成手段を備えたことを特徴とする請求項１から１４のいずれか１項記載の電子カメラ。
【請求項１６】
前記記録する画像は画像ファイルの形式をとっており、当該画像ファイルを格納するディレクトリのディレクトリ名として、画像処理に用いた画像出力特性を有する画像出力装置を識別する、画像出力装置識別情報を付すディレクトリ名生成手段を備えたことを特徴とする請求項１から１５のいずれか１項記載の電子カメラ。
【発明の詳細な説明】
【技術分野】
【０００１】
本発明は電子カメラに係り、特に撮像手段で撮像した画像に対して、画像出力装置側での画像出力特性に基づいた画像処理を実施する電子カメラに関する。
【背景技術】
【０００２】
特殊な測定器や高額な費用を必要とせずに、簡便に撮像装置の階調特性を調整することが可能な撮像装置が、特許文献１に示されている。当該撮像装置では、表示装置に表示されているテスト画像を撮像して、その撮像して得た画像の電気信号が、想定される所定の信号となるように入出力特性可変信号処理回路の入力特性を制御するものである。
【０００３】
また、ビデオ信号処理部のγ特性を可変とすることにより、出力用途に応じた画質での記録を可能とするビデオカメラが、特許文献２に示されている。当該ビデオカメラには複数のγ補正特性を持っており、画像撮像時にそのγ補正特性の一つを選択するものである。
【０００４】
また、特許文献３には、以下に示す電子カメラが示されている。
【０００５】
先ず、印刷しようとする画像と、画像の色のみえの偏りを補正するためのプロファイルをメモリカードから読み出して、測光素子や測色素子から出力される視環境に関するデータを参照して、読み出した画像に対して補正処理を施す。
【０００６】
そして、得られた画像データをＬＣＤに表示させる。次にＣＰＵは、プリンタの印刷特性や記録特性に起因する画像の色のみえの偏りを補正するためのプロファイルをメモリーカードから読み出し、このプロファイルに従って、再度メモリーカードから読み出した撮影画像に対して補正処理を施す。
【０００７】
続いて電子カメラのＣＰＵは、この画像が撮影された際の撮影画像に関する情報をメモリーカードから読み出し、読み出した情報に対応する補正処理を施した後に、得られた画像データをプリンタに対して出力することによって、画像の色のみえが表示装置ごとに差異を生じることを防止することが可能となる。
【特許文献１】特開平７−２９８０９７号公報
【特許文献２】特開平１１−１１２８３６号公報
【特許文献３】特開平１１−１２７４１５号公報
【発明の開示】
【発明が解決しようとする課題】
【０００８】
一般にプリンタや表示装置は、それぞれ機種ごとに異なった階調特性色や色再現特性を持っている。また、カメラも同様に機種ごとに異なった階調特性や色再現特性を持っているが、それぞれのプリントの特性や画像の表示装置の特性を反映させたものではなく、人が見るプリントアウト又は表示された最終画像は、適正なものとはなっていないのが実情である。
【０００９】
本発明は、このような事情に鑑みてなされたもので、プリンタや表示装置等の画像出力装置における画像の階調特性や色再現性その他の画像の出力特性を取得して、電子カメラ側でその画像の出力特性に応じた画像処理を予め実施する電子カメラを提供することを目的としている。
【課題を解決するための手段】
【００１０】
前記目的を達成するために、撮像手段で撮像した画像に対して、画像を印刷するプリンタ又は画像を表示する表示装置等の画像出力装置側での画像出力特性に基づいた画像処理を実施する電子カメラであって、画像出力装置側での画像出力特性を記録媒体から読み出す読み出し手段、又は画像出力装置側での画像出力特性を他の通信機器から受信する受信手段と、被写体像を撮像して画像を取得する撮像手段と、取得した画像に対して画像出力特性に基づいた画像処理を実施して新たな特性を有する画像を生成する画像処理手段と、生成した画像を記録媒体に記録する書き込み手段、又は生成した画像を他の通信機器に送信する送信手段とを備えたことを特徴としている。
【００１１】
本発明によれば、画像出力装置側での画像出力特性を記録媒体から読み出す読み出し手段、又は画像出力装置側での画像出力特性を他の通信機器から受信する受信手段と、被写体像を撮像して画像を取得する撮像手段と、取得した画像に対して画像出力特性に基づいた画像処理を実施して新たな特性を有する画像を生成する画像処理手段と、生成した画像を記録媒体に記録する書き込み手段、又は生成した画像を他の通信機器に送信する送信手段とを備えたので、プリンタや表示装置等の画像出力装置における画像の階調特性や色再現性その他の画像の出力特性を取得して、電子カメラ側でその画像の出力特性に応じた画像処理を予め実施することが可能となる。
【発明の効果】
【００１２】
以上説明したように本発明に係る電子カメラによれば、画像出力装置側での画像出力特性を記録媒体から読み出す読み出し手段、又は画像出力装置側での画像出力特性を他の通信機器から受信する受信手段と、被写体像を撮像して画像を取得する撮像手段と、取得した画像に対して画像出力特性に基づいた画像処理を実施して新たな特性を有する画像を生成する画像処理手段と、生成した画像を記録媒体に記録する書き込み手段、又は生成した画像を他の通信機器に送信する送信手段とを備えたので、プリンタや表示装置等の画像出力装置における画像の階調特性や色再現性その他の画像の出力特性を取得して、電子カメラ側でその画像の出力特性に応じた画像処理を予め実施することが可能となる。
【００１３】
また、画像出力装置の特性を電子カメラ等の画像入力装置が知ることによって、画像の素材（画像のデータ）をできる限り生かしながら、（後でいろいろと変化させることなく）きれいな画像を作り上げることが可能となる。
【００１４】
また、１つの入力画像（撮像画像）に対して（予めメモリーカードに記録されているものではなく）複数の画像出力装置を想定したそれぞれに最適な画像データを生成することも可能となる。
【発明を実施するための最良の形態】
【００１５】
以下添付図面に従って、本発明に係る電子カメラの好ましい実施の形態について詳説する。
【００１６】
図１に、本発明に係る電子カメラを用いた撮像出力システムを示す。
【００１７】
同図に示す撮像出力システムには、被写体像を撮像する電子カメラ１０と、電子カメラ１０に対して挿抜自在に装着可能な記録媒体１７７と、記録媒体１７７に記録されている画像を表示するディスプレイ等の表示装置５０と、記録媒体１７７に記録されている画像を用紙７２に印刷することが可能なプリンタ７０とが設けられている。
【００１８】
また、画像出力システムには、表示装置５０、プリンタ７０又はインターネット等の通信手段を介してサーバ等の他の通信機器と情報の送受信を実施することが可能な送受信手段とを備えたパソコン８０が設けられている。なお、パソコン８０には記録媒体１７７を装着することが可能となっている。
【００１９】
記録媒体１７７には、電子カメラ１０によって撮像した画像を記録することが可能となっている。記録媒体１７７は、画像を表示するディスプレイ等の表示装置５０、若しくは画像を印刷するプリンタ７０（画像出力装置の一形態）に挿抜自在に装着される。そして、プリンタ７０等の画像出力装置では、記録媒体１７７に記録されている画像を読み出すことが可能となっている。
【００２０】
また記録媒体１７７には、プリンタ７０やディスプレイ等の画像出力装置における画像の処理内容を設定するための画像出力特性を記録することが可能となっている。
【００２１】
なお、プリンタ７０等の画像出力装置は、電子カメラ１０やパソコン８０等の送受信手段を備えた通信機器から、有線又は無線の通信手段を介して画像や、その画像の処理内容を設定するための画像出力特性とを受信することが可能となっている。
【００２２】
図２に、本発明に係る電子カメラの信号処理系ブロック図を示す。
【００２３】
同図に示すように電子カメラ１０の光学部には、被写体像を撮像手段１５０の受光面上に結像するための撮像レンズ１０２と、受光面に結像する被写体像の光量を調節する絞り１３３と、受光面に結像する被写体像の赤外線を減衰させるＩｒフィルタやオプチカルローパスフィルタ（ＯＬＰＦ）等の光学フィルタ１３２とが設けられている。
【００２４】
なお、撮像レンズ１０２及び絞り１３３にはドライバが接続されており、情報処理手段の指示に基づいてフォーカス、ズーム、絞りの制御を実施することが可能となっている。
【００２５】
また電子カメラ１０の画像処理部には、被写体の像を受光面に結像させて光電変換し、画像信号として出力する撮像手段１５０と、画像信号に対して相関二重サンプリング処理やゲイン調整、色分離その他のアナログ信号処理を実施するＣＤＳ回路１５３と、アナログの画像信号を情報処理手段の指示に基づいて増幅する処理を行うとともに、ホワイトバランス等の画像変換処理を実施するアナログゲインアンプ１５２と、アナログの画像信号をデジタルの画像データに変換するＡ／Ｄ変換器１５４とが設けられている。
【００２６】
撮像手段１５０がＣＣＤ等の撮像手段である場合には、撮像手段１５０に接続されているドライバは、垂直同期信号や水平同期信号を撮像手段１５０に対して出力する。
【００２７】
また、電子カメラ１０には、有線又は無線の通信手段によって画像データ等の情報を他の通信機器と送受信する送受信手段１５７（送信手段、受信手段）が設けられている。
【００２８】
また、電子カメラ１０には、撮像手段１５０にて取得した画像に対して各種の画像処理を実施する画像処理手段１６７が設けられている。例えばこの画像処理手段１６７には、Ｒ、Ｇ、Ｂ各色の階調の階調のゲインを独立してホワイトバランス等を調節することが可能なゲイン調節部と、ガンマ特性を変更することが可能なガンマ調整部と、画像を記録しているメモリから読み出された点順次のＲ、Ｇ、Ｂ信号を同時式に変換する同時化処理部と、画像信号に含まれるノイズを低減するノイズ低減処理部と、画像の輪郭を強調する処理を行うシャープネス処理部と、Ｒ、Ｇ、Ｂ各色のゲイン等を相互に調節することによって彩度と色相との回転角度を調節する色相・彩度補正部と、画像に対してＪＰＥＧ等に代表される手法で圧縮処理を実施する圧縮処理部とが設けられている。
【００２９】
なお、画像処理手段１６７に、得られる画像の空間周波数とコントラストとの関係を変換するＭＴＦ変換部（Modulation Transfer Function）を設けてもよい。
【００３０】
また、電子カメラ１０には、各種の文字やメッセージのデータ等を画像とともに表示する表示手段１６８が設けられている。
【００３１】
また、電子カメラ１０には、電源スイッチやレリーズボタン、通信ボタン、送信ボタン、ファンクションスイッチ、十字ボタン、確定スイッチ、モード切り換えスイッチ等から構成される入力手段１７４と、記録媒体１７７を着脱可能に装着して画像データ等の情報を記録したり読み出したりする記録媒体インターフェース１７９（読み出し手段、書き込み手段）とが設けられている。
【００３２】
なお、記録媒体１７７は、メモリーカード等の半導体や、ＣＤ−ＲＯＭ、フロッピー（登録商標）ディスク、ＭＯ等に代表される磁気記録式、光記録式等に代表される着脱可能な記録媒体である。
【００３３】
また、電子カメラ１０には、電子カメラ１０全体の制御を行うとともに画像データのサンプリングタイミング制御、記録媒体１７７に記録されている画像の処理内容を設定するための画像出力特性を読み出す処理、撮像手段１５０が取得した画像と記録媒体１７７から読み出した画像出力特性とを関連付けて記録媒体に出力する処理、若しくは、撮像手段１５０が取得した画像と記録媒体１７７から読み出した画像出力特性とを関連付けて通信にて他の通信機器に出力する指示を送受信手段１５７に出力する処理等の各種制御を行う情報処理手段１８０（ファイル名生成手段、ディレクトリ名生成手段の機能を含む）が設けられている。
【００３４】
また、電子カメラ１０には、情報の書き換えが可能であるとともに記憶した調整用の各種定数等の情報を電源遮断後も記憶し続けることが可能な不揮発性メモリ１８２と、電子カメラ１０の動作プログラム、各定数、表示に関する情報等が記憶されているＲＯＭ１８３と、プログラム実行時の作業領域となる高速読み書き可能な記憶手段であるＲＡＭ１８４とが設けられている。
【００３５】
電子カメラ１０の情報処理手段１８０とその周辺の各回路はバス１９９で接続されており、互いに情報の伝達を高速で行うことが可能となっている。
【００３６】
なお、記録媒体インターフェース１７９は、プリンタ又は表示装置その他の画像出力装置側での画像出力特性を、記録媒体１７７から読み出すことが可能となっている。また、送受信手段１５７は、プリンタ７０又は表示装置５０その他の画像出力装置側での画像出力特性を、サーバ、プリンタ７０、表示装置５０、その他の通信機器から受信することが可能となっている。
【００３７】
また、画像処理手段１６７は、撮像手段１５０が取得した画像に対して、画像出力装置の画像出力特性に基づいた画像処理を実施して、新たな特性を有する画像を生成することが可能となっている。
【００３８】
更に記録媒体インターフェース１７９は、画像処理手段１６７が新たに生成した画像を記録媒体に記録することが可能となっている。なお、送受信手段１５７は、画像処理手段１６７が新たに生成した画像をプリンタ７０、又は表示装置５０等の他の通信機器に送信することが可能となっている。
【００３９】
なお、前記の画像出力特性は、画像の階調特性、画像の画素数、画像のシャープネス情報、画像の色相情報、画像の彩度情報、画像のホワイトバランス情報、色再現特性情報、画像のＭＴＦ変換情報、又は画像のノイズ低減量情報のうち、少なくとも１つを含むものである。
【００４０】
図３に、画像出力装置の一形態であるプリンタの信号処理系ブロック図を示す。
【００４１】
同図に示すようにプリンタ７０には、有線又は無線の通信手段によって画像データ等の情報を他の通信機器から受信する送受信手段７６５が設けられている。
【００４２】
また、プリンタ７０には、送受信手段７６５等を介して受信した画像に対して、当該プリンタ７０の画像出力特性に基づいた画像処理を実施する画像処理手段７６７が設けられている。この画像処理手段７６７には、圧縮処理された画像をＪＰＥＧ等に代表される手法で伸長処理を実施する伸長処理部と、Ｒ、Ｇ、Ｂ各色のゲイン等を相互に調節することによって彩度と色相との回転角度を調節する色相・彩度補正部と、Ｒ、Ｇ、Ｂ各色の階調の階調のゲインを独立してホワイトバランス等を調節することが可能な階調・明るさ補正部と、画像信号に含まれるノイズを低減するノイズ低減処理部と、画像の輪郭を強調する処理を行うシャープネス処理部とが設けられている。
【００４３】
なお、画像処理手段７６７に、得られる画像の空間周波数とコントラストとの関係を変換するＭＴＦ変換部を設けてもよい。
【００４４】
また、プリンタ７０には、画像や各種の文字等を表示して利用者に通知する表示手段７６８が設けられている。
【００４５】
また、プリンタ７０には、電源スイッチや印刷実行ボタン、オンラインボタン、オフラインボタン、ファンクションスイッチ、十字ボタン、確定スイッチ、モード切り換えスイッチ等から構成される入力手段７７４と、記録媒体７７７を着脱可能に装着して画像データや画像出力特性その他の情報を記録したり読み出したりする記録媒体インターフェース７７９とが設けられている。
【００４６】
なお、記録媒体７７７は、電子カメラ１０に装着されている記録媒体１７７と同様な、メモリーカード等の半導体や、ＭＯ等に代表される磁気記録式、光記録式等に代表される着脱可能な記録媒体である。
【００４７】
また、プリンタ７０には、プリンタ７０全体の制御を行うとともに、画像データの読み出し制御、画像出力特性を読み出す処理、通信制御、表示制御等の各種制御を行う情報処理手段７８０が設けられている。
【００４８】
また、プリンタ７０には、情報の書き換えが可能であるとともに記憶した調整用の各種定数等の情報を電源遮断後も記憶し続けることが可能な不揮発性メモリや、プリンタ７０の動作プログラム、各定数、表示に関する情報等が記憶されているＲＯＭ、プログラム実行時の作業領域となる高速読み書き可能な記憶手段であるＲＡＭ等から構成されているメモリ７８１が設けられている。
【００４９】
また、プリンタ７０には、情報処理手段７８０の指示に基づいて画像を用紙７２に印刷するプリントエンジン７８９が設けられている。プリンタ７０の情報処理手段７８０とその周辺の各回路はバス７９９で接続されており、互いに情報の伝達を高速で行うことが可能となっている。
【００５０】
図４に、プリンタ（表示装置その他の画像出力装置であってもよい）における階調の画像出力特性を示す。
【００５１】
あるプリンタ７０の階調の入出力特性が、同図に示すような「Ｐ」の特性を有している場合には、印刷後の画像は入力した画像データに対して階調が低い部分のゲインが低く再生される。そのため、利用者が希望する色と異なる画像が出力されてしまうという不具合を生じていた。また、一般にプリンタの種類によって画像出力特性は異なったものとなっている。
【００５２】
図５に、電子カメラ１０における階調の画像出力特性を示す。
【００５３】
画像を出力する対象の装置がプリンタ７０である場合には、電子カメラ１０では「Ｐ-1」の特性に基づいた階調特性の画像処理を実施する。当該「Ｐ-1」の特性は、対象とするプリンタ７０の画像出力特性「Ｐ」を、直線ｙ＝ｘに対して線対称とした逆変換の特性である。
【００５４】
したがって、上述のように、電子カメラ１０にてプリンタ７０（画像出力装置）側での画像出力特性と逆の特性の画像処理を実施して新たな特性を有する画像を生成して、その画像をプリンタ７０（画像出力装置）にて印刷することによって、撮像したときの階調特性を再現したり、好ましい階調特性を備えた画像を出力することが可能となる。
【００５５】
なお、電子カメラ１０側で画像処理を実施する際に必要となる画像出力特性は、同図に示す「Ｐ-1」の特性である。したがって、予め記録媒体１７７に「Ｐ-1」の特性を記録しておき、記録媒体インターフェース１７９が当該「Ｐ-1」の画像出力特性を読み出して、撮像手段１５０が取得した画像に対して「Ｐ-1」の画像処理を実施するようにしてもよい。
【００５６】
また、予め記録媒体１７７に「Ｐ」の特性を記録しておき、記録媒体インターフェース１７９が当該「Ｐ」の画像出力特性を読み出して「Ｐ-1」の特性を算出し、撮像手段１５０が取得した画像に対して「Ｐ-1」の画像処理を実施するようにしてもよい。
【００５７】
なお、前記画像出力装置側での画像出力特性を記録媒体１７７から読み出して利用する代わりに、送受信手段１５７を介して表示装置５０やプリンタ７０、パソコン８０その他の通信機器から受信して利用するようにしてもよい。
【００５８】
また、前記新たに生成した画像を、記録媒体１７７に記録する代わりに、送受信手段１５７を介して表示装置５０やプリンタ７０、パソコン８０その他の通信機器に出力するようにしてもよい。また、前記出力する画像は、画像ファイルの形式で出力するようにしてもよい。
【００５９】
図６に、プリンタ７０における色再現性の画像出力特性を示す。
【００６０】
同図は、Ｙ（黄色）、Ｒ（赤）、Ｍ（赤紫）、Ｂ（青）、Ｃ（青緑）、Ｇ（緑）の各色の入力位相（色相）と、プリンタ７０にて印刷された後の各色の位相Ｙ１、Ｒ１、Ｍ１、Ｂ１、Ｃ１、Ｇ１との色相の入出力特性を示したものである。
【００６１】
あるプリンタ７０の色再現性の入出力特性が、同図に示すような特性を有している場合には、印刷後の画像は実際に撮像した画像データに対して色相の異なる画像が出力されてしまうという不具合を生じていた。また、一般にプリンタの種類や用紙の種類などによって色再現性の画像出力特性は異なったものとなっている。
【００６２】
図７に、本発明に係る電子カメラ１０にて実施する画像処理の特性を示す。
【００６３】
画像を出力する対象の装置がプリンタ７０である場合には、電子カメラ１０では撮像して得た画像に対して位相をＹ→Ｙ２、Ｒ→Ｒ２、Ｍ→Ｍ２、Ｂ→Ｂ２、Ｃ→Ｃ２、Ｇ→Ｇ２に変換する処理を行う。なお、当該画像変換処理は、Ｙ１とＹ２とがＹに対して点対称な位置に存在するような逆変換処理である。
【００６４】
したがって、上述のように、電子カメラ１０にてプリンタ７０（画像出力装置）側での画像出力特性と逆の特性の画像処理を実施して新たな特性を有する画像を生成して、その画像をプリンタ７０（画像出力装置）にて印刷することによって、撮像したときの彩度を忠実に再現したり、好ましい彩度に設定したりすることが可能となる。
【００６５】
また、上記の実施の形態のように各色について独立して逆変換処理を実施する代わりに、各色の変換角度を指定して画像の変換処理を実施して新たな画像を生成するようにしてもよい。
【００６６】
図８に、プリンタ７０における輪郭補正による画像出力特性を示す。
【００６７】
電子カメラ１０においても、撮像した画像に対して例えば同図に示すようなＭＴＦ特性に基づいた輪郭強調処理を実施して、画像ファイルを作成して記録媒体１７７に記録しているとする。
【００６８】
そして、プリンタ７０において、記録媒体１７７に記録されている画像を読み出して、図８に示すような「ｆ１」でピークを持つＭＴＦ特性に基づいた輪郭強調処理を更に実施して印刷出力すると、「ｆ１」付近で過度に輪郭強調がされた画像となってしまい、きつく不自然な画像となってしまう。
【００６９】
また、一般にプリンタの種類や用紙の種類によって輪郭補正の画像出力特性は異なったものとなっている。
【００７０】
図９に、本発明に係る電子カメラ１０にて実施する輪郭補正の画像処理の特性を示す。
【００７１】
画像を出力する対象の装置がプリンタ７０である場合には、電子カメラ１０では撮像して得た画像に対して図９に示す「ｆ１」にてピークを持たない平坦な輪郭補正の画像処理を実施して、その画像処理を実施した画像を記録媒体１７７に記録する。
【００７２】
一方、プリンタ７０が図９に示すような画像出力特性を有している場合には、逆に電子カメラ１０では図８に示すような画像処理を実施して、その画像を記録媒体１７７に記録する。
【００７３】
このように、プリンタ等の画像出力装置側での画像出力特性に基づいた画像処理を電子カメラ１０側で実施することによって、プリントアウトされた最終画像（又は表示装置５０に表示される画像）を適正なものとすることができる。
【００７４】
図１０に、画像出力特性の情報が記録されている記録媒体のメモリマップを示す。
【００７５】
同図に示すように記録媒体に１７７には、当該記録媒体１７７に記録されている各種のファイルや情報を管理する「記録媒体管理領域」と、画像出力装置における画像の処理内容である「画像出力特性領域」とが設けられている。
【００７６】
前記「画像出力特性領域」には、プリンタ７０又は表示装置５０その他の画像出力装置の種別「ＦＦプリンタ３００」が記載されている。この「ＦＦプリンタ３００」の画像出力特性として、画像の「シャープネス情報」と、画像の「色相情報」と、画像の「彩度情報」と、画像の「主階調情報」と、画像の「ハイライト階調情報」と、画像の「ノイズ低減量情報」と、画像の輪郭補正に関する「ＭＴＦ」その他の情報が記録されている。
【００７７】
また、「画像記録領域」には、画像ファイル１、画像ファイル２…等の各種の画像ファイルや、その他の情報を記録することが可能となっている。
【００７８】
以下に、電子カメラ１０の撮像処理について説明する。
【００７９】
電子カメラ１０の記録媒体インターフェース１７９は、記録媒体１７７に記録されている画像出力装置側での画像出力特性を読み出す処理を行う。そしてその情報はＲＡＭ１８４等の記録手段に記録される。また、この画像出力特性は、送受信手段１５７を介して、表示装置５０、プリンタ７０、パコソン８０その他の通信機器から受信するようにしてもよい。
【００８０】
撮像する像は撮像レンズ１０２によって撮像手段１５０の受光面に結像され、結像した被写体像は光電変換されてＣＤＳ回路１５３に出力される。ＣＤＳ回路１５３では、この画像信号に対して相関二重サンプリングや増幅、ノイズの低減処理等の画像処理を実施し、Ａ／Ｄ変換器１５４に出力してデジタルデータに変換する。
【００８１】
該デジタルデータに変換した画像データは、情報処理手段１８０の指令により画像処理手段１６７に転送され、画像のホワイトバランスやガンマ補正、階調特性の変換処理、ＹＣ変換、ズーム処理、画素数変換処理、色再現特性の変換処理、画像のＭＴＦ変換処理等の画像処理が施された後に、一時期ＲＡＭ１８４に記憶される。情報処理手段１８０は、ＲＡＭ１８４に記憶されている画像データを逐次表示手段１６８に出力する処理を行い、画像等の表示データが表示手段１６８に表示される。
【００８２】
利用者が、入力手段１７４に設けられている撮像指示のためのレリーズボタンを押すと、情報処理手段１８０は被写体を撮像するモードに入る。すると情報処理手段１８０はＡ／Ｄ変換器１５４にてデジタルデータに変換された画像データをＲＡＭ１８４に記録する。
【００８３】
取得した画像を記録媒体１７７に記録する場合には、先ずＲＡＭ１８４に記録されている画像出力特性を読み出して画像処理手段１６７に転送する処理を行う。次に、前記ＲＡＭ１８４に記憶されている画像を逐次読み出して画像処理手段１６７に転送して、前記画像出力特性に基づいた画像処理を実施し、新たな画像を生成する。
【００８４】
その画像処理は、画像のホワイトバランスやガンマ補正、同時化、ノイズ低減処理、シャープネス処理、色相・彩度補正処理、ＹＣ変換、ズーム処理、画素数変換処理、階調特性の変換処理、圧縮処理等の各種画像処理、色再現特性変換処理、画像のＭＴＦ変換処理等の画像処理である。前記生成した新たな画像は、必要に応じて画像出力特性の情報と関連付けて順次記録媒体１７７に記録する。
【００８５】
なお、前記生成した新たな画像を他の通信機器に出力する場合には、必要に応じて画像出力特性の情報と関連付けて送受信手段１５７に出力することによって、プリンタ７０等の他の通信機器に出力される。
【００８６】
なお、上記の説明では撮像手段を備えた電子カメラにて、画像出力装置側での画像出力特性に基づいた画像処理を実施する実施の形態で説明したが、本発明はこれに限定されるものではなく、画像を外部の機器から通信手段等を介して取得して画像処理及び画像の記録を実施する画像処理装置であっても本発明の目的を達成することが可能である。
【００８７】
図１１に、電子カメラ１０にて生成した画像のファイル構造を示す。
【００８８】
同図に示すように画像ファイル１２には、当該画像の付属情報１３が記載されている部分と、当該画像の１２８０×９６０の画素数を備えた主画像１４が記載されている部分と、インデックス表示等に用いる主画像１４の縮小画像１５（サムネイル画像）の部分とが設けられている。
【００８９】
付属情報１３が記載されている部分には、元画像を撮像又は生成した際の撮影情報２０を貼付してもよい。図１１に示す例では、主画像１４を撮像した日時を示す撮影年月日情報２１と、撮像時に電子カメラ１０の撮像モード（クオリティ）を「ＮＯＭＡＬ」モードに設定して撮像した画像であることを示す撮影モード情報２２と、利用者が指定した主画像１４のタイトルが貼付されているタイトル情報２３との各種情報が貼付されている。
【００９０】
また付属情報１３が記載されている部分には、撮像時に電子カメラ１０にて設定したホワイトバランスを調節するモードが記載されているホワイトバランス情報２４と、撮像時に電子カメラ１０にて設定されていた「ＡＵＴＯ」又は「ＭＡＮＵＡＬ」等の合焦モードに関する情報が記載されているフォーカス情報２５と、電子カメラ１０にて被写体像を撮像した位置を記載する撮影位置情報２６と、電子カメラ１０にて撮像する際に設定した補助光の発光モードを記載するストロボ情報２７とが貼付されている。
【００９１】
また付属情報１３が記載されている部分には、画像出力装置側での画像出力特性に基づいた画像処理を実施するための画像出力特性３０が添付されている。画像出力特性３０の部分には、画像のシャープネス情報３１、画像の色相情報３２、画像の彩度情報３３、画像の主階調情報３４、画像のハイライト階調情報３５、画像のノイズ低減量情報３６、特性内容の識別表示３７、画像のＭＴＦ変換情報３８、及び画像出力装置を識別する画像出力装置種別情報３９等の情報が、主画像１４と関連付けて添付されている。
【００９２】
上記の画像出力装置種別情報３９を画像ファイルに添付することにより、記録されている画像の出力を想定している画像出力装置を容易に知ることが可能となる。さらに、電子カメラ１０側にて参照した画像出力特性そのものを上記のように付属情報として添付することによって、仮に参照していた画像出力装置がなくとも、別の画像出力装置の特性を、添付されている画像出力特性にチューニングすることにより、最終画像の特性を目標特性に近づけることが可能となる。
【００９３】
また、上記の各種の情報の他に、画像の画素数、画像のホワイトバランス情報、画像のＡＥ情報、画像の階調特性の変換処理、色再現特性情報、画像の印刷枚数その他の情報を、画像出力特性３０に添付するようにしてもよい。
【００９４】
なお、上記の画像ファイル１２を記録媒体１７７に記録するようにしてもよいし、上記の画像ファイル１２を送受信手段１５７を介してプリンタ７０等の他の通信機器に出力するようにしてもよい。
【００９５】
なお、前記の識別表示３７は、例えば「リアル」、「ベルビヤ」、「風景」、「ポートレート」、「夜景」、「海中」、「スキー」、「テキスト」等の、撮像する画像の種類に応じた最適な画像処理の分類を記載する。
【００９６】
例えば識別表示３７が「リアル」である場合には、実際の撮像時の色を印刷又は表示に際して忠実に再現することを目的とした画像出力特性が記録されていることを示しており、シャープネス感を弱く設定し、主階調を軟調に設定して被写体をなめらかに再現するとともに、明るい部分のハイライト階調を硬調に設定する画像出力特性を有していることを示している。
【００９７】
以下に、プリンタ７０における印刷処理について説明する。
【００９８】
印刷する画像が記録媒体７７７に記録されている場合には、情報処理手段７８０は記録媒体インターフェース７７９を介して記録媒体７７７に記録されている画像ファイルのファイル名と、その画像ファイルに記録されているサムネイル画像とを読み出す処理を行う。そして、表示手段７６８に前記読み出した画像ファイル名とサムネイル画像とを一覧表示する処理を行う。
【００９９】
利用者は、表示手段７６８に表示されている画像を閲覧して、印刷する画像を選択する情報を入力手段７７４を介して入力する。
【０１００】
入力手段７７４を介して前記選択情報を取得した情報処理手段７８０は、選択された主画像と、その画像ファイルに添付されている画像出力特性を読み出して、メモリ７８１に記録する処理を行う。
【０１０１】
そして情報処理手段７８０は、前記メモリ７８１に記録されている画像出力特性を読み出すとともに画像処理手段７６７に出力して、画像の処理内容を設定する処理を行う。画像出力特性に基づいた画像処理の設定が終了すると、次に情報処理手段７８０は、メモリ７８１に記録されている主画像を読み出して画像処理手段７６７に出力し、所定の画像出力特性に基づいた画像処理を指示する。
【０１０２】
画像処理手段７６７の伸長処理部では、取得した圧縮処理された画像に対してＪＰＥＧ等に代表される手法で伸長処理を実施する。次に色相・彩度補補正部にて、彩度と色相との回転角度を調節し、次に階調・明るさ補正部にてＲ、Ｇ、Ｂ各色の階調の階調のゲインを独立してホワイトバランス等を調節する。
【０１０３】
次に、ノイズ低減処理部にて画像信号に含まれるノイズを低減する処理を行い、シャープネス処理部にて画像の輪郭を強調する処理を行う。
【０１０４】
画像処理手段７６７において、前記取得した画像出力特性に基づいた画像処理が終了すると、情報処理手段７８０は画像処理手段７６７が新たに生成した画像を、印刷枚数や印刷用紙の種類又は大きさに関する印刷情報とともに、プリントエンジン７８９に出力する。
【０１０５】
前記画像等の情報を取得したプリントエンジン７８９では、情報処理手段７８０から取得した情報に基づいて印刷を実施する。すると用紙７２には、利用者が指定した画像が印刷されて出力される。
【０１０６】
また、プリンタ７０にて実施した画像処理の画像出力特性や、画像出力特性の内容に関する識別情報を、画像を印刷した用紙７２の裏面に印刷しておくようにしてもよい。
【０１０７】
なお、画像処理手段７６７が新たに生成した画像をディスプレイやプロジェクタ等に表示する際には、情報処理手段７８０は前記新たに生成した画像を表示手段７６８に出力する。なお、ディスプレイやプロジェクタ等の表示手段は、当該プリンタ７０の外部に設けられている表示手段であってもよい。
【０１０８】
なお、上記の実施の形態では、記録媒体１７７に画像の処理内容を設定するための画像出力特性を記録しておく実施の形態で説明したが、本発明はこれに限定されるものではなく、記録媒体１７７には、「ＦＦプリンタ３００」等の画像出力装置種別情報３９のみを記録しておき、画像のシャープネス情報その他の画像出力特性を電子カメラ１０又は画像出力装置の記録手段に表の形式で前記画像出力装置種別情報３９と関連付けて記録しておいても、本発明の目的を達成することが可能となる。
【０１０９】
なお、上記のプリンタ７０から出力される最終目標画像は、利用者が自由に変更することを可能としてもよい。
【０１１０】
その場合には、１つの入力画像に対して複数の画像出力装置を仮定し、それぞれに対応した画像を画像処理手段１６７が作成する。例えば電子カメラ１０の表示手段１６８に以下の図１２に示すメニュー画面を表示して変更する。
【０１１１】
図１２に電子カメラ１０の表示手段１６８に表示されるメニュー画面を示す。
【０１１２】
同図に示すように電子カメラ１０の表示手段１６７には、画像出力装置の一覧とその画像出力装置に対応した画像処理を実施するか否かのチェックボックスとが表示されている。同図に示す例では、作成する画像の種類として、複数のプリンタ、複数の外部モニタ（表示装置）、その他の画像出力装置が候補として挙げられている。
【０１１３】
利用者が設定した画捜出力装置の種類だけ、電子カメラ１０の画像処理手段１６７は出力画像を生成する。
【０１１４】
なお、同図に示すように、利用者が第１候補を設定可能なようにしておいてもよい。例えばその場合には、第１候補の画像をＡ／Ｄ変換後のＣＣＤのＲＡＷデータに基づいてアナログゲインアンプ１５２等にてアナログ特性を変化させて画像変換を実施し、他の項目についてはデジタル部（画像処理手段１６７等）で補正するようにしてもよい。
【０１１５】
図１３に本発明に係る電子カメラにおける画像処理のフローチャートを示す。
【０１１６】
同図に示すように、利用者が電子カメラ１０に設けられているモード切り換えスイッチを「撮像」のモードに設定すると、電子カメラ１０の情報処理手段１８０が実施する処理はＳ１００「スタート」に分岐してきて、次のＳ１０２「画像出力装置の画像出力特性読込み」に進む。
【０１１７】
Ｓ１０２にて情報処理手段１８０は、画像出力装置側での画像出力特性（階調、色、輪郭補正その他）を読み込む処理を行う。このとき情報処理手段１８０は、記録媒体インターフェース１７９を介して記録媒体１７７から画像出力特性を読み込んでもよいし、送受信手段１５７を介してパソコン８０から読み込むようにしてもよいし、送受信手段１５７を介してプリンタ７０等の機通信機器から読み込むようにしてもよいし、インターネット等の通信ネットワークを介してサーバ等の他の通信機器から読み込むようにしてもよい。
【０１１８】
なお、パソコン８０は、Ｓ１０４「ＰＣがロード」にて記録媒体（メモリーカード）から画像出力特性を読み出して、通信手段を介して電子カメラ１０に当該画像出力特性の情報を出力するようしてもよい。
【０１１９】
なお、画像出力特性は、Ｓ１０６「メモリーカードへ書き込み」にて画像出力装置がメモリーカードに最終目標画質特性（画像出力特性など）を記録するようにしてもよい。更に、画像出力装置にて記録媒体を初期化（フォーマット等）する際において、前記画像出力特性を併せて記録するようにしてもよい。また、画像出力装置が最終目標画質特性をメモリーカードに記録する代わりに、直接通信手段を介してパソコン８０に送信するようにしてもよい。
【０１２０】
Ｓ１０８「カメラがロード」では、読み出した（又は取得した）画像出力特性をメモリ（ＲＡＭ１８４等）に記録する（Ｓ１１０）とともに、Ｓ１１２「画像出力装置の情報と最終目標画質特性から電子カメラの入出力特性を算出」に進む。
【０１２１】
Ｓ１１２では、情報処理手段１８０は、読み出した（又は取得した）画像出力特性（最終目標画質特性）に基づいて、画像処理手段１６７にて実施する画像処理の入出力特性（逆関数など）を算出する処理を行う。
【０１２２】
次のＳ１１４「画像出力装置は第１候補？」では、情報処理手段１８０は実施する画像処理に対応する画像出力装置が、第１候補の画像出力装置であるか否かの判断を行っている。もし第１候補である場合には、処理はＳ１１６「アナログ、デジタルの役割分担とアナログ特性、デジタル特性を算出」に分岐し、また、もし第１候補でない場合には、Ｓ１１８「デジタルで入力特性を補正する際の量を算出」に進む。
【０１２３】
Ｓ１１６にて情報処理手段１８０は、画像処理に関するアナログ特性とデジタル特性とを算出し、その算出したアナログ特性をＤ／Ａ変換器に出力するとともに、算出したデジタル特性を画像処理手段１６７に出力する。
【０１２４】
Ｓ１２０「Ｄ／Ａ」では、Ｄ／Ａ変換器がアナログ特性をアナログデータに変換して、その変換したアナログデータをアナログゲインアンプ１５２に出力する。
【０１２５】
Ｓ１２２「アナログ信号処理部」では、アナログゲインアンプ１５２が入力したアナログ特性に基づいて、画像信号の変換処理の準備を実施する。
【０１２６】
また、Ｓ１２６「デジタル信号処理部」では、画像処理手段１６７が情報処理手段１８０から入力したデジタル特性に基づいて、画像処理の準備を実施する。
【０１２７】
一方、Ｓ１１８では、情報処理手段１８０は画像出力装置側での画像出力特性の逆関数を算出する等の処理を行って、その補正値を画像処理手段１６７に出力する処理を行う。
【０１２８】
Ｓ１２８「デジタル信号処理部」では、画像処理手段１６７が情報処理手段１８０から入力したデジタル特性に基づいて、画像処理の準備を実施する。
【０１２９】
Ｓ１３０「信号処理の補正完了」にて、上記の画像処理の準備が全て完了して、利用者が電子カメラ１０に設けられているレリーズボタンを押して被写体の撮像を指示すると、電子カメラ１０の情報処理手段１８０が実施する処理は次のＳ１３２「撮影」に進む。
【０１３０】
Ｓ１３２にて被写体像の撮像を終了して、アナログゲインアンプ１５２や画像処理手段１６７にて画像出力装置側での特性情報に基づいた画像の処理が終了すると、情報処理手段１８０が実施する処理はＳ１３４「記録」に進む。
【０１３１】
Ｓ１３４で情報処理手段１８０は、ＲＡＭ１８４等に記録されている画像出力特性を読み出して、図１１に示す画像ファイルを生成して、画像変換を実施した画像とともに記録媒体１７７に記録する処理を行う。
【０１３２】
なお、Ｓ１３４で情報処理手段１８０は、前記画像ファイルを送受信手段１５７を介してプリンタ等の他の通信機器に出力するようにしてもよい。
【０１３３】
画像ファイルの記録、又は画像ファイルの出力処理が終了すると、処理はＳ１３５「ＥＮＤ」に進み、撮像処理を終了する。
【０１３４】
また、図１１に示した画像ファイル１２のファイル名として、画像出力装置種別情報３９（画像処理に用いた画像出力特性を有する画像出力装置を識別する情報）が含まれているファイル名を情報処理手段１８０が生成して、当該画像ファイルに付与するようにしてもよい。
【０１３５】
また、画像ファイル１２を格納するディレクトリのディレクトリ名として、画像処理に用いた画像出力特性を有する画像出力装置を識別する画像出力装置識別情報３９を情報処理手段１８０が付して、そのディレクトリに当該画像ファイル１２を格納するようにしてもよい。
【図面の簡単な説明】
【０１３６】
【図１】本発明に係る電子カメラを用いた撮像出力システムを示す図
【図２】本発明に係る電子カメラの信号処理系ブロック図
【図３】画像出力装置の一形態であるプリンタの信号処理系ブロック図
【図４】プリンタ、表示装置その他の画像出力装置における階調の画像出力特性を示す図
【図５】電子カメラにて実施する階調の画像出力特性を示す図
【図６】プリンタにおける色再現性の画像出力特性を示す図
【図７】電子カメラにて実施する画像処理の特性を示す図
【図８】プリンタにおける輪郭補正による画像出力特性を示す図
【図９】電子カメラにて実施する輪郭補正の画像処理の特性を示す図
【図１０】画像出力特性の情報が記録されている記録媒体のメモリマップを示す図
【図１１】電子カメラにて生成した画像のファイル構造を示す図
【図１２】電子カメラの表示手段に表示されるメニュー画面
【図１３】電子カメラにおける画像処理のフローチャート
【符号の説明】
【０１３７】
１０…電子カメラ、１２…画像ファイル、１３…付属情報、１４…主画像、１５…縮小画像、２０…撮影情報、２１…撮影年月日情報、２２…撮影モード情報、２３…タイトル情報、２４…ホワイトバランス情報、２５…フォーカス情報、２６…撮影位置情報、２７…ストロボ情報、３０…画像出力特性、３１…シャープネス情報、３２…色相情報、３３…彩度情報、３４…主階調情報、３５…ハイライト階調情報、３６…ノイズ低減量情報、３７…識別表示、３８…ＭＴＦ変換情報、３９…画像出力装置種別情報、５０…表示装置、７０…プリンタ、７２…用紙、１０２…撮像レンズ、１３２…光学フィルタ、１３３…絞り、１５０…撮像手段、１５２…アナログゲインアンプ、１５３…ＣＤＳ回路、１５４…Ａ／Ｄ変換器、１５７…送受信手段、１６７…画像処理手段、１６８…表示手段、１７４…入力手段、１７７…記録媒体、１７９…記録媒体インターフェース、１８０…情報処理手段、１８２…不揮発性メモリ、１８３…ＲＯＭ、１８４…ＲＡＭ、１９９…バス、７６５…送受信手段、７６７…画像処理手段、７６８…表示手段、７７４…入力手段、７７７…記録媒体、７７９…記録媒体インターフェース、７８０…情報処理手段、７８１…メモリ、７８９…プリントエンジン、７９９…バス
【図１】
0004623024.tif 000002
【図２】
0004623024.tif 000003
【図３】
0004623024.tif 000004
【図４】
0004623024.tif 000005
【図５】
0004623024.tif 000006
【図６】
0004623024.tif 000007
【図７】
0004623024.tif 000008
【図８】
0004623024.tif 000009
【図９】
0004623024.tif 000010
【図１０】
0004623024.tif 000011
【図１１】
0004623024.tif 000012
【図１２】
0004623024.tif 000013
【図１３】
0004623024.tif 000014